(57)【要約】【課題】店員による定期的なクリーニングをせずとも磁気ヘッドの汚れ等によるエラーを発生させないような磁気カードを提案し、磁気カードドライブのメンテナンス作業を削減すると共に利用者の不満を解消する。【解決手段】磁気カードに、磁気部材で形成した磁気層を備え、該磁気層の磁気記録面側に、上記磁気層に対してデータの書き込み又は／及び読み込みが可能な磁気カードドライブの磁気ヘッドをクリーニングするクリーニング層を設けた。【選択図】    図３
2005004911.tif 000002
【特許請求の範囲】
【請求項１】
磁気部材で形成した磁気層を備え、
該磁気層の磁気記録面側に、上記磁気層に対してデータの書き込み又は／及び読み込みが可能な磁気カードドライブの磁気ヘッドをクリーニングするクリーニング層を設けた
磁気カード。
【請求項２】
前記クリーニング層を表面の粗い部材で形成した
請求項１記載の磁気カード。
【発明の詳細な説明】
【０００１】
【発明の属する技術分野】
この発明は、例えば会員カード、ポイントカード、プリペイドカード、定期券、テレホンカード、社員カード、セキュリティカード、コピーカード、ハイウェイカード（登録商標）等、情報を記録して使用するような磁気カードに関する。
【０００２】
【従来の技術】
従来、白色プラスチックで構成した基体層の表面側に意匠性のある印刷を施し、前記基体層の裏面側に磁気層を備え、該磁気層の磁気記録面側に白色コーティング層を設けた磁気カードが提案されている（特許文献１参照）。
【０００３】
また、このような磁気カードに対してデータの読書きを実行する磁気カードドライブは磁気ヘッドを備えており、該磁気ヘッドの汚れを落とす乾式磁気ヘッドクリーニングカードが提案されている（特許文献２参照）。
【０００４】
【特許文献１】
特許第３２８８５２８号公報
【特許文献１】
特開２００２−０２５０２２号公報。
【０００５】
【発明が解決しようとする課題】
しかし、前記乾式磁気ヘッドクリーニングカードは、前記磁気カードが読み取れなくなったような場合に使用されることとなり、事後的な対処としてしか使用されていなかった。したがって、例えば百貨店等で利用者が磁気カードをポイント照合機（磁気カードドライブ内蔵）等に挿入した際に読み取りエラーが発生すると、利用者は店員に連絡してクリーニングが終了するまで待たなければならず、利用者の不満の元となっていた。
【０００６】
また、このような事態を避けるためには、店員が定期的に前記乾式磁気ヘッドクリーニングカードでクリーニングする必要があり、点検業務が増加して店員に負担をかけることとなっていた。
【０００７】
この発明は、上述の問題に鑑みて、店員による定期的なクリーニングをせずとも磁気ヘッドの汚れ等によるエラーを発生させないような磁気カードを提案し、磁気カードドライブのメンテナンス作業を削減すると共に利用者の不満を解消することを目的とする。
【０００８】
【課題を解決するための手段】
この発明は、磁気部材で形成した磁気層を備え、該磁気層の磁気記録面側に、上記磁気層に対してデータの書き込み又は／及び読み込みが可能な磁気カードドライブの磁気ヘッドをクリーニングするクリーニング層を設けた磁気カードであることを特徴とする。
【０００９】
これにより、磁気カードドライブが磁気ヘッドで磁気カードのデータ読み込み又は／及び書き込みを実行すれば、磁気ヘッドがクリーニングされるため、特別なメンテナンスを行わなくとも常時磁気ヘッドをクリーニングした状態で利用できるようになる。
【００１０】
この発明の態様として、前記クリーニング層を表面の粗い部材で形成することができる。
これにより、磁気ヘッドについた埃や汚れ等を効果的に除去することが可能となる。
【００１１】
【発明の効果】
この発明により、磁気カードの使用が磁気ヘッドのクリーニングとなり、特別なメンテナンスを行わなくとも磁気カードドライブをクリーニングした状態に維持することができる。
【００１２】
また、仮に磁気カードの読み取りエラーや書き込みエラーが発生した場合でも、当該磁気カードを磁気ヘッド付近で何度か搬送制御すればクリーニングできるため、利用者が店員を呼ぶといった必要がなく磁気カードを快適に利用することができる。
【００１３】
【発明の実施の形態】
この発明の一実施形態を以下図面と共に説明する。
磁気カード１は、図１の正面図に示すように、第１の模様として正面にデザイン的（意匠的）な模様（表模様）１ａを印刷しており、美しい模様により利用者が気持ちよく磁気カード１を使用できるようにしている。
【００１４】
該磁気カード１の裏面は、図２の背面図に示すように、無模様一色のクリーニングインキを全面に印刷している。この印刷は、オフセット印刷、グラビア印刷等の印刷で行えばよいが、はけ等で塗布する、あるいはスプレーで塗布するといったようにして形成しても良い。なお、クリーニングインキの厚さを確実に調整して隙間なく塗布するためには、グラビア印刷を行うことが望ましい。
【００１５】
磁気カード１の構成は、図３の底面から見た断面図に示すように、上から順に、オーバーコート層（保護層）１１、前記模様１ａを形成するデザイン印刷層（表模様印刷層）１２、ＰＥＴ層１３、磁気層１４、及びクリーニング層１５で形成する。
【００１６】
上記オーバーコート層１１は、透明のＵＶインキを印刷した保護層であり、１〜２μｍの厚みに形成する。
上記デザイン印刷層１２は、オフセット印刷によりカラー印刷を施して１〜２μｍの厚みに形成する。
【００１７】
上記ＰＥＴ層１３は、白色のＰＥＴ部材（ポリエチレンテフタレート）により１８８〜２５０μｍの厚みに形成する。なお、該ＰＥＴ層１３は、ＰＥＴ部材以外のプラスチック部材（プラスチック板）で形成する等、適度な硬度を有する他の板状体で形成しても良い。
上記磁気層１４は、磁気塗料を塗布して１０〜１５μｍの厚みに形成する。
【００１８】
上記クリーニング層１５は、グラビア印刷用のクリーニングインキをグラビア印刷して５〜６μｍの厚みに形成する。該クリーニングインキは乾燥後の表面が粗くなるグラビア印刷用の熱硬化型のインキであり、次の化学物質による混合物で形成する。
【００１９】
酸化チタン：１〜１０％
酸化ケイ素：１〜１０％
アルミニウムペースト顔料：１〜１０％
合成樹脂：１０〜２０％
トルエン：２０〜３０％
メチルエチルケトン：２０〜３０％
イソプロピルアルコール：１０〜２０％
酢酸エチル：１０〜２０％
【００２０】
以上の構成により、磁気カード１は表面のデザイン印刷層１２のデザイン印刷により会員カードやポイントカード等のカードとしての意匠性を有し、その上で、デザイン印刷層１２の反対側である磁気記録面側に備えたクリーニング層１５により磁気ヘッドをクリーニングすることができる。
【００２１】
次に、磁気カード１の製造方法について説明する。
まず、ＰＥＴ層１３による白色ＰＥＴ板の上面（図３の下面側）に磁気塗料を塗布し、磁気カード１のベースを形成する（工程１）。
【００２２】
上記磁気塗料の塗布により形成した磁気層１４の上面に、クリーニングインキでグラビア印刷（凹版印刷）を１回行う（工程２）。このときグラビア印刷に使用するドラムには、グラビア印刷後のクリーニングインキの厚みがむらなく均一に５μｍとなるように、インクを乗せるドラム表面に対して、少なくとも磁気カード１の仕上がり表面サイズの面積分を一様に５μｍエッチング（彫刻）した塗りつぶし用のドラムを使用する。
【００２３】
なお、該塗りつぶし用のドラムは、５μｍエッチングした面を固定模様や不定模様等、凹凸を有する粗面で形成しても良い。この場合は、クリーニングインキで形成するクリーニング層１５の表面の凹凸を自由に調整することができ、磁気ヘッドのクリーニングに適した凹凸を形成することが出来る。
【００２４】
ここまでの製造工程が終了した状態で、両面に印刷可能面を有する磁気カード本体２０が完成する。利用者が自由に表面又は裏面に印刷を施したい場合には、この磁気カード本体２０を販売しても良い。この場合は、個人や印刷会社に対して、印刷用の紙を提供するように磁気カード本体２０を提供することができ、購入した個人や印刷会社では、自己の設備（インクジェットプリンタやオフセット印刷機等）を使用してデザイン等の印刷を自由に必要個数行うことができる。
【００２５】
最後まで仕上げて販売する場合には、前記磁気カード本体２０を裏返し、前記ＰＥＴ層１３の上面にオフセット印刷機によりオフセット印刷を行い（工程３）、多色又は単色によるデザイン印刷を施し（工程４）、デザイン印刷層１２を形成する（工程５）。
該デザイン印刷層１２の上面には、オフセット印刷によりＵＶ透明インキを全面印刷してオーバーコート層１１を形成する（工程６）。
【００２６】
以上の製造方法により磁気カード１が完成し、該磁気カード１を購入した顧客は、自己の提供するサービスの会員に配布するといったことができる。会員はサービスを受けた際に、磁気カード１をＰＯＳ端末等に備えた磁気カードドライブに挿入し、会員特典等のサービスを受けることができる。
【００２７】
このようにして形成する磁気カード１では、ドラム表面に一様に５μｍエッチングした凹部に前記白色インキを乗せた状態から、前記磁気層１４に上記ドラムで白色インキを押し付けて転写することにより、一回の印刷で十分な厚みを有する略均一な厚みのクリーニング層１５を磁気層１４の上面に形成することができる。
【００２８】
以上に説明した磁気カード１は、図４の磁気カードドライブ３０の側面断面図に示すように、磁気カードドライブ３０でデータの読書きが実行できる。
すなわち、磁気カードドライブ３０の投入口（図示省略）から磁気カード１を投入すると、ローラ３１，３１，３１，３１で磁気カード１が取り込み方向に搬送され、磁気ヘッド３３の先端部３２で磁気データの読書きが実行される。
【００２９】
このとき、先端部３２についている埃や汚れは、磁気カード１のクリーニング層１５の凹凸が通過することでクリーニングされる。
また、磁気カードドライブ３０が磁気カード１を返却方向に搬送する場合にも、先端部３２はクリーニング層１５の凹凸の通過によってクリーニングされる。
【００３０】
なお、以上の各実施形態において、各工程は工程１を最初にして外側に順番に行うのであれば、異なる順番で行っても良い。
この発明の構成と、上述の実施形態との対応において、
この発明の表面の粗い部材は、実施形態のクリーニングインキに対応し、
同様に、磁気部材は、磁気塗料に対応するも、
この発明は、上述の実施形態の構成のみに限定されるものではなく、多くの実施の形態を得ることができる。
【図面の簡単な説明】
【図１】磁気カードの正面図。
【図２】磁気カードの背面図。
【図３】磁気カードの底面断面図。
【図４】磁気カードドライブの側面断面図
【符号の説明】
１…磁気カード
１４…磁気層
１５…クリーニング層
３０…磁気カードドライブ
３３…磁気ヘッド
【図１】
2005004911.tif 000003
【図２】
2005004911.tif 000004
【図３】
2005004911.tif 000005
【図４】
2005004911.tif 000006